(57)【要約】電子番組ガイド（１００）であって、第１の情報を有する第１のリスト（１０５）と、第１の情報（１１５）から選択される情報の選択に応じて第１のリスト（１０５）と同時に表示される第２のリスト（１１０）であって、チャンネルリスト、テーマリスト、時間リスト、好みリスト、リマインダーリストを含み、プログラマブルなパースペクティブスイッチ（１５５、２５０）の起動に応答してスイッチ可能である第２のリスト（１１０）と、を含む。第１のリスト（１０５）は、例えば、リモートコントローラ（２００）のアクセススイッチ（２４０）を起動することによる電子番組ガイド（１００）へのアクセスに応答して表示される。第１のリストと第２のリストは両方とも、例えば、アクセススイッチ（２４０）をダブルクリックするか、またはリモートコントローラ（２００）の番組スイッチ（２４５）を起動することによる第２のリストへのアクセスに応答して表示される。第２のリストは、第１のリストから選択された情報と関連する情報を含む。
2007520140.tif 000002
【特許請求の範囲】
【請求項１】
電子番組ガイドであって、
第１の情報を含む第１のリストと、
前記第１のリストから選択する情報の選択に応じて前記第１のリストと同時に表示される第２の情報を含む第２のリストと、を有し、
前記第１の情報は、パースペクティブ機能の起動に応じて第３の情報に変更可能であることを特徴とする電子番組ガイド。
【請求項２】
請求項１に記載の電子番組ガイドであって、
前記第２の情報は、前記選択する情報と排他的に関連することを特徴とする電子番組ガイド。
【請求項３】
請求項１に記載の電子番組ガイドであって、
前記第１の情報及び／または前記第３の情報は、チャンネルリスト、テーマリスト、時間リスト、好みリスト、リマインダーリストのうち少なくとも１つを含むことを特徴とする電子番組ガイド。
【請求項４】
請求項１に記載の電子番組ガイドであって、
前記第１の情報は、チャンネルリスト、テーマリスト、時間リスト、好みリスト、リマインダーリストのうち少なくとも１つを含むようにプログラム可能であることを特徴とする電子番組ガイド。
【請求項５】
請求項１に記載の電子番組ガイドであって、
前記第１の情報がチャンネルリストを含む時、前記選択される情報は選択されるチャンネルであり、前記第２の情報は前記選択されるチャンネルと関連する番組の番組リストと、前記番組と関連する時間の時間リストとを含むことを特徴とする電子番組ガイド。
【請求項６】
請求項１に記載の電子番組ガイドであって、
前記第１の情報はテーマリストを含み、前記選択される情報は選択されるテーマであり、
前記第２の情報は番組を有するチャンネルのチャンネルリスト及び／または前記選択されるテーマと関連する時間とを含むことを特徴とする電子番組ガイド。
【請求項７】
請求項１に記載の電子番組ガイドであって、
前記第１の情報は時間リストを含み、前記選択される情報は選択される時間であり、
前記第２の情報は前記選択される時間と関連する番組を有するチャンネルのチャンネルリストを含むことを特徴とする電子番組ガイド。
【請求項８】
請求項１に記載の電子番組ガイドであって、
前記第１のリストは前記電子番組ガイドへのアクセスに応答して提示され、
前記第１のリストと前記第２のリストは両方とも前記第２のリストへのアクセスに応答して提示されることを特徴とする方法。
【請求項９】
請求項１に記載の電子番組ガイドであって、
前記第２のリストは、現在時刻及び／または前記第２のリストの記述識別子を含むことを特徴とする電子番組ガイド。
【請求項１０】
請求項１に記載の電子番組ガイドであって、
前記第１のリスト及び前記第２のリストと同時に表示される情報リストをさらに有し、前記情報リストは選択される番組と関連するデータを含み、前記データは前記選択される番組の説明、レーティング及び／または再放送表示を含むことを特徴とする電子番組ガイド。
【請求項１１】
請求項１０に記載の電子番組ガイドであって、
前記情報リストは、カーソルが前記選択される番組をハイライトしている間に、前記選択される番組の選択に応答して、またはオープンスイッチの起動に応答して、表示されることを特徴とする電子番組ガイド。
【請求項１２】
請求項１に記載の電子番組ガイドであって、
前記第２のリストは、リマインダーを設定するように構成されたリマインダースイッチ及び／または前記第２のリストを閉じるように構成されたクローズスイッチを含むことを特徴とする電子番組ガイド。
【請求項１３】
請求項１に記載の電子番組ガイドであって、
前記電子番組ガイドをナビゲーションするインターフェイスをさらに含み、前記インターフェイスは、
前記第２のリストを含むメニューを開くように構成されたオープンスイッチと、
前記第１のリストと前記第２のリストを含むメニューを閉じるように構成されたクローズスイッチと、
前記パースペクティブ機能を起動するパースペクティブスイッチと、
前記電子番組ガイド及び／または前記電子番組ガイドのコントローラの使用に関するヘルプ情報を含むヘルプメニューを開くように構成されたヘルプスイッチと、のうち少なくとも１つを含むことを特徴とする電子番組ガイド。
【請求項１４】
請求項１３に記載の電子番組ガイドであって、
前記コントローラはリモートコントローラであり、前記パースペクティブ機能を起動するパースペクティブボタンを含むことを特徴とする電子番組ガイド。
【請求項１５】
請求項１３に記載の電子番組ガイドであって、
前記コントローラは前記電子番組ガイドにアクセスするスイッチと、アップスイッチと、ダウンスイッチとを含み、
前記アップスイッチと前記ダウンスイッチは、前記第１のリスト及び／または前記第２のリストにおいてカーソルをそれぞれ上下にスクロールするように構成されていることを特徴とする電子番組ガイド。
【請求項１６】
請求項１５に記載の電子番組ガイドであって、
前記アップスイッチと前記ダウンスイッチはページごとにスクロールするように構成されていることを特徴とする電子番組ガイド。
【請求項１７】
請求項１５に記載の電子番組ガイドであって、
前記アップスイッチと前記ダウンスイッチは、前記第１のリスト及び／または前記第２のリストの最上部または最下部に前記カーソルをそれぞれ動かし、ページごとにスクロールするように構成されていることを特徴とする電子番組ガイド。
【請求項１８】
請求項１５に記載の電子番組ガイドであって、
前記アップスイッチと前記ダウンスイッチは、前記第１のリスト及び／または前記第２のエントリーにおいてカーソルを１つずつそれぞれ上下に動かすようにそれぞれ構成されていることを特徴とする電子番組ガイド。
【請求項１９】
請求項１３に記載の電子番組ガイドであって、
前記コントローラは、前記第１のリストと前記第２のリストの間で前記カーソルを動かすように構成された右スイッチと左スイッチを含むことを特徴とする電子番組ガイド。
【請求項２０】
電子番組ガイドを受信するように構成された装置であって、前記電子番組ガイドは、
第１の情報を含む第１のリストと、
前記第１のリストから選択する情報の選択に応じて前記第１のリストと同時に表示される第２の情報を含む第２のリストと、を有し、
前記第１の情報は、パースペクティブ機能の起動に応じて第３の情報に変更可能であることを特徴とする装置。
【請求項２１】
電子番組ガイドのオンスクリーンディスプレイを制御するように構成されたコントローラであって、前記コントローラは、前記電子番組ガイドにアクセスするアクセススイッチと、前記電子番組ガイド中をナビゲーションするナビゲーションスイッチと、を有し、前記電子番組ガイドは、
第１の情報を含む第１のリストと、
前記第１のリストから選択する情報の選択に応じて前記第１のリストと同時に表示される第２の情報を含む第２のリストと、を有し、
前記第１の情報は、パースペクティブ機能の起動に応じて第３の情報に変更可能であることを特徴とするコントローラ。
【請求項２２】
請求項２１に記載のコントローラであって、
前記第１のリストは前記アクセススイッチの第１の起動に応答して提示され、前記第１のリストと前記第２のリストは前記アクセススイッチの第２の起動に応答して、または前記コントローラの番組スイッチの起動に応答して提示されることを特徴とするコントローラ。
【請求項２３】
ディスプレイモニターを動作させるようにプログラムされたプロセッサであって、前記プロセッサは、
電子番組ガイドを受信するステップと、
第１の情報を含む第１のリストを表示するステップと、
前記第１のリストから選択する情報の選択に応じて前記第１のリストと同時に第２の情報を含む第２のリストを表示するステップと、を有し、
前記第１の情報は、パースペクティブ機能の起動に応じて第３の情報に変更可能であることを特徴とするプロセッサ。
【請求項２４】
電子番組ガイドをナビゲーションする方法であって、
第１の情報を含む第１のリストを表示するステップと、
前記第１のリストから選択する情報の選択に応じて前記第１のリストと同時に第２の情報を含む第２のリストを表示するステップと、を有し、
前記第１の情報は、パースペクティブ機能の起動に応じて第３の情報に変更可能であることを特徴とする方法。
【発明の詳細な説明】
【技術分野】
【０００１】
本発明は、電子番組ガイド（ＥＰＧ）、メニューシステム、テレビジョン用リモートコントローラ等のためのオンスクリーンディスプレイ（ＯＳＤ）方法に関する。
【０００２】
テレビジョン放送はＥＰＧを含む。ＥＰＧはＯＳＤとしてテレビジョン上に表示される。リモートコントローラは、一般的には、ＥＰＧをナビゲートするために使用される。ＥＰＧとリモートコントローラ用のオンスクリーンディスプレイの例は、米国特許出願公開公報第２００２／００８３４４９Ａ１号、「デジタルテレビジョン用オンスクリーンディスプレイ、メニュー、及びリモートコントローラの構成方法」に開示されている。この文献は、ここに参照により援用する。
【０００３】
ＥＰＧの従来のＯＳＤは、多くの情報を一度に表示する。例えば、いろいろなサービスやチャンネルのリストや、リストされたすべてのチャンネルの番組を数時間または数日のフレームで表示する。表示される情報は、時間、曜日、題名、ジャンル（アクション、コメディ−アクション、サスペンス−アクション、コメディ、コメディ−ドラマ、ドラマ、ニュース、番組レーティング（性的、暴力等）、言語、スポーツ（野球、フットボール、ホッケー、サッカー、バスケットボール等））を含む。ＥＰＧの従来のディスプレイは、複数のフィールドを有し、番組説明フィールド等の一部のフィールドは１００字まで有する。このように大量の情報を表示すると、ユーザは圧倒され混乱してしまうだけでなく、ユーザがＥＰＧをナビゲーションする時にメニューと情報の表示をリフレッシュするスピードが遅くなる。従って、ユーザが選択またはプログラミングした関連情報のみを素早く表示する、より早く融通の利くＥＰＧ制御・表示システム、ユーザフレンドリかつ高速なＥＰＧシステムが必要である。
【０００４】
本発明の一実施形態によると、ユーザフレンドリに素早いナビゲーション及び関連する情報の表示をするＥＰＧ及び／またはコントローラが提供される。このＥＰＧは、第１の情報を有する第１のリストと、第１の情報から選択される情報の選択に応じて第１のリストと同時に表示される第２のリストであって、チャンネルリスト、テーマリスト、時間リスト、好みリスト、リマインダーリスト、その他のユーザがプログラム可能なリストを含み、プログラマブルなパースペクティブスイッチの起動に応答してスイッチ可能である第２のリストと、を含む。第１のリストは、例えば、リモートコントローラのアクセススイッチを起動することによる電子番組ガイドへのアクセスに応答して表示される。第１のリストと第２のリストは両方とも、例えば、アクセススイッチをダブルクリックするか、またはリモートコントローラの番組スイッチを起動することによる第２のリストへのアクセスに応答して表示される。第２のリストは、第１のリストから選択された情報と関連する情報を含む。
【０００５】
本発明の装置及び方法の上記その他の特徴、態様、利点は、以下の説明、特許請求の範囲、及び添付した図面を参照すれば、よりよく理解できるであろう。
【０００６】
本発明は、ＥＰＧが提供されている多数の様々なコンテントに適用可能であるが、ビデオコンテントの環境において、特にテレビジョンプログラミング（programming）の環境において特に有用であることが分かっている。それゆえ、本発明の適用可能性をビデオコンテントとテレビジョンプログラミング用のＥＰＧに限定するものではないが、これらの環境に基づいて本発明を説明する。
【０００７】
ここで図１を参照して、本発明による電子番組ガイド１００の実施例を示した。この電子番組ガイド１００は、第１のリスト１０５を有し、このリスト１０５は、この場合、利用可能なサービスまたはチャンネルのチャンネルリストである。例えば、チャンネルＡからＩが第１のリスト１０５の１ページに表示されている。ＥＰＧ１００は、第２のリスト１１０も含む。第１のリスト１０５がチャンネルのリストを含むこの場合、第２のリストは第１のリスト１０５から選択されたチャンネル１１５と関連する番組と、その番組と関連する時間のリストである。第２のリスト１１０の番組は、選択されたチャンネル１１５（例えばチャンネルＥ）と網羅的に関連しており、例えば、現在時刻が約１１：００である時、８：００時から１５：００時までの番組を時間順に表示している。選択されたチャンネル以外のチャンネルと関連する番組は表示されないので、乱雑にならずユーザも混乱しないし、表示速度や表示のリフレッシュと変化が速くなる。選択されたアイテムは、例えばボックスで囲んだり、ハイライトしたりして、その他のものとは区別される。以下に説明するように、メニューまたはリストアイテムは、ボックスやハイライトを動かすカーソルを動かすことにより選択する。
【０００８】
現在時刻に関連する番組がハイライトされる。例えば、現在時刻が１１：１５であるとき、参照数字１２０で示したように、１１：００（またはそれ以前）に始まったチャンネルＥの番組がハイライトされる。デフォルト時間ラインは、現在時刻から一定の間隔をあけて始まり終了する。その間隔はプログラマブルであり、所望のように変更することができる。例えば、現在時刻が１１：１５である時、８：００に始まり１５：００に終わる時間ラインが第２のリスト１１０のページに表示される。時間間隔は現在時間に最も近い１１：００から−３時間であり、その結果開始時間は８：００となり、また１１：００から＋４時間であり、終了時間は１５：００となる。現在時間の前後の時間間隔は、第２のリスト１１０が始まり終わる時間が選択可能となるように、選択可能である。
【０００９】
第１のリスト１０５はデフォルトリストであり、ユーザがＥＰＧに最初にアクセスした時、または第１のリスト１０５を呼び出した時に表示される。一方、第２のリスト１１０は、隠され表示されない。ユーザが第２のリスト１１０にアクセスまたは選択をした場合、第１と第２のリスト１０５、１１０が表示される。両方のリストを表示すると、ナビゲーションが容易になる。その理由は、第２のリスト１１０だけでは、例えば他のチャンネルを選択する手段を提供しないからである。むしろ、第２のリスト１１０が、例えば、他の番組を選択する手段を提供する。第２のリスト１１０も現在時間（例えば、１１：１５）及び／または他のアイコンまたは、例えば、選択されたチャンネル（例えば、チャンネルＥ）等の情報を含むバナーまたは識別子１２５を含む。
【００１０】
ＥＰＧ１００は、第３のメニューまたは情報リスト１３０も含む。これは、カーソルが選択された（またはデフォルトの）番組１２０をハイライトしている間に、オープンスイッチ１３５の起動に応答して第２のリスト１１０及び／または第１のリスト１０５とはべつに、または同時に表示される。あるいは、情報リスト１３０は、第２のリスト１１０中の番組が（例えば、カーソルをその上に動かすことにより）ハイライトされるのに応じて、自動的に開いてもよい。情報リスト１３０は、選択またはハイライトされた番組１２０と関連するデータである、例えば番組の説明、出演者名、長さ、レーティング、製作年、及び／または再放送表示、その他の有用な情報を含む。
【００１１】
オープンスイッチ１３５は、メニューまたはリストを開くために使用され、色は緑色等である。一方、クローズスイッチ１４０は、メニューを閉じるために使用され、色は黄色等である。クローズスイッチ１４０は、第２のリストまたはメニュー１１０及び／または、点線１４２で示したように、第１のメニュー１０５に設けられてもよい。図示したように、ユーザは、オープンスイッチ１３５を起動することにより、または、図４を参照して説明するリモートコントローラ等のコントローラの使用により、ＥＰＧ１００にアクセスする。デフォルトアクセスまたはＯＳＤは、第１のリスト／メニュー１０５を提供する。第２のリスト／メニュー１１０は、オープンスイッチ１３５の起動により開かれる。あるいは、第２のリスト１１０は、第１のリスト１０５にリストされたチャンネルに沿ってカーソルを動かすと、それに応答して自動的に開く。例えば、オープンボタン１３５をダブルクリックすることにより自動設定が起動される。オープンスイッチ１３５の外観を濃い緑色や、「自動」や文字「Ａ」等の表示に変えることにより、自動モードであることが表示される。再度ダブルクリックすることにより、自動モードからマニュアルモードに戻る。マニュアルモードでは、メニューは、選択したチャンネルまたは番組をハイライトするのではなく、オープンスイッチ１３５を起動することにより開く。スクリーンに表示されるスイッチ１３５、１４０、１４２、１４５、１５０、１５５の全てまたは一部は、図４を参照して説明するリモートコントローラ２００に代替的に、または追加的に含まれている。
【００１２】
ＥＰＧ１００は、ヘルプメニューを開くように構成されたヘルプまたは情報スイッチ１４５も含む。このヘルプメニューは、ＥＰＧの使用及び／またはＥＰＧのコントローラの使用に関する情報を含む。このＥＰＧのコントローラは、図４を参照して説明するリモートコントローラであってもよい。第２のリスト１１０は、リマインダースイッチ１５０等のその他のスイッチを含んでいてもよい。リマインダースイッチ１５０は、選択された番組のリマインダーを設定するように構成されている。
【００１３】
第１のリスト１０５は、パースペクティブスイッチ１５５と呼ばれる更に別のスイッチを含む。このスイッチは、例えば青色であり、ユーザが操作して起動すると、第１のリスト１０５に作用して、表示されている情報を変化させる。例えば、図１に示したチャンネルリストから、図２に示したテーマリスト１０５′または図３に示した時間リスト１０５′′に変化させる。選択したパースペクティブと第１のリスト中のオブジェクトタイプまたは情報に応じて、第２のリスト１１０のコンテントまたは情報は、自動的に変更され、選択したパースペクティブと関連づけられる。このように、パースペクティブボタン１５５を起動することにより、ユーザは、第１のリスト１０５中の情報をユーザがプログラム可能なその他の情報で置き換えることができる。パースペクティブが選択され、所望の情報が第１のリスト１０５上に提供されると、メニューまたは第１のリスト１０５は閉じられる。最後に選択されたパースペクティブまたは所望の情報は他のパースペクティブが選択されるまでメモリに記憶され、ユーザが次にＥＰＧ１００にアクセスする時（例えば、第１のリスト１０５にアクセスまたは開く時）に表示される。
【００１４】
図２に示した第１のリスト１０５′にリストしたテーマメニューまたはテーマは、ニュース、スポーツ、コメディ、コメディドラマ、ドラマ、アクション、コメディアクション、探偵もの、サスペンス、ショーレーティング（性、暴力等）、言語の記載等の様々なカテゴリーにより分類された情報を含む。テーマをハイライトすると、サブカテゴリーやサブテーマが表示される。例えば、「スポーツ」がハイライトされると表示されるサブカテゴリーには、フットボール、野球、バスケットボール、ホッケー、ゴルフ、サッカー、テニス等がある。
【００１５】
パースペクティブが第１のリスト１０５′のテーマを含むように変更され、テーマがハイライトされ、または、例えば、図２の参照符号１１５′で示したボックスにより囲まれている場合、第２のリスト１１０′の情報は、選択されたテーマ１１５′に関連する番組と番組の時間を有するチャンネルのリストに変更される。第２のリスト１１０′は、番号順等の選択またはプログラムされた順序でチャンネルリストを含み、及び／または時間またはプログラムされた順序で時間を含む。この時間は、現在時刻またはその他の選択またはプログラムされた（例えば、現在時刻の一定時間前に始まるようにプログラムされた）時間に始まる。識別子１２５′は、例えば、「選択されたテーマで視聴可能な番組」等のプログラム可能な関係情報を表示してもよい。
【００１６】
同様に、図３に示したように、第１のリスト１０５′′に時間リストを含むようにパースペクティブが変更され、参照符号１１５′′で示したように時間が選択された時、第２のリスト１１０′′の情報も、選択された時間１１５′′と関連する番組を有するチャンネルのリストに変更される。チャンネルリストの順序は数字順またはプログラム可能であり、識別子１２５′′は「選択された時間に視聴可能な番組」等のプログラム可能な関連情報を表示する。時間リスト１０５′′は現在時刻の近くから始まるか、またはその他の選択またはプログラムされた（例えば、現在時刻から一定時間前に始まるようにプログラムされた）時間から始まる。図１を参照して説明した情報メニュー１３０と同様の情報メニュー１３０′、１３０′′も表示され、第２のリスト１１０′、１１０′′で選択またはハイライトされた番組１２０′、１２０′′と関連するデータを提供する。好みのリストやリマインダーのリスト等のパースペクティブを追加的にプログラムしてもよい。
【００１７】
図４は、ＥＰＧ１００のＯＳＤを制御するリモートコントローラ２００を示す図である。リモートコントローラ２００は、アップスイッチ２０５とダウンスイッチ２１０を含む。これらのスイッチは、第１のリスト１０５、第２のリスト１１０、情報リスト１３０、及び／またはヘルプリスト中でカーソルまたはハイライトされるアイテムをそれぞれ上下にスクロールするように構成されている。アップスイッチ２０５とダウンスイッチ２１０は、アクティブなページのエントリーを個々にスクロールする替わりに、またはそれに加えて、ページごとにスクロールするように構成されていてもよい。あるいは、追加的にページアップスイッチ２１５とページダウンスイッチ２２０を設けて、カーソルをアクティブなページのそれぞれ最上部または最下部に動かしてからページごとにスクロールしてもよい。リモートコントローラ２００は、右スイッチ２２５と左スイッチ２３０をさらに含んでいる。これらのスイッチは、第１のリスト１０５と第２のリスト１１０等のいろいろなリストの間でカーソルを動かすように構成されている。リモートコントローラ２００は、ＥＰＧ１００の第１のリストにアクセスして表示するアクセススイッチ２４０も含む。アクセススイッチ２４０をダブルクリックするか、任意的番組スイッチ２４５を起動すると、第１のリスト１０５と第２のリスト１１０が両方とも表示される。図１を参照して説明したパースペクティブボタン１５５と同様に、第１のリスト１０５に含まれた情報を切り換えるパースペクティブ機能を起動する更に別のスイッチ２５０が設けられてもよい。
【００１８】
図５に示したように、ＥＰＧはブロードキャストされて、例えば、セットトップボックス３１０やテレビジョン３２０等のレシーバにより受信される。プロセッサ３３０、３３５は、ＥＰＧ１００のＯＳＤを動作させて制御するようにプログラムされている。ＥＰＧのナビゲーションスピードが速くなるように、現在表示されている情報と連続する情報をキャッシュするメモリ３４０、３４５が、プロセッサ３３０、３３５と結合されている。例えば、図１に示したようにカーソルがチャンネルＥにある時、チャンネルＥと連続するチャンネル（例えば、チャンネルＤとＦ）、またはその近くのチャンネル（例えば、チャンネルＢ、Ｃ、ＤおよびＦ、Ｇ、Ｈ）に関する情報がメモリ３４０、３４５にキャッシュされる。同様に、テーマメニュー１０５′、時間メニュー１０５′′、及び／または情報メニュー１３０について、選択された情報（例えば、選択されたプログラム１１５、選択されたテーマ１１５′、選択された時間１１５′′、及び／または現在情報メニュー１３０）と連続した、またはそれに近い情報がメモリにキャッシュされる。
【００１９】
コントローラ２００はＥＰＧのナビゲーションを促進し、アクセススイッチ２４０を起動等することにより、ＥＰＧへのアクセスに応答して第１のリスト１０５を表示する。また、チャンネルリスト１０５に表示されたチャンネルから選択されたチャンネル１１５の選択（例えば、カーソルを動かして、またはオープンスイッチ１３５を起動したもの）に応答して、または、アクセススイッチ２４０をダブルクリック、または番組スイッチ２４５を起動すること等により、番組リスト１１０への直接アクセスに応答して、第１のリスト１０５と同時に、第２のリスト１１０を表示する。
【００２０】
一般的に、本発明は、一度に単一の番組に関係した情報だけを提供する、単純なＥＰＧに対する素早いアクセスを提供し、表示を乱雑にしてユーザを混乱させる余分な情報を表示せずに、ユーザフレンドリに必要な情報を提供することができる。さらに、表示される情報が少ないので、性能とスピードは高くなり、一方、選択されたチャンネルまたは番組と近いまたは連続する情報はユーザが次のチャンネルまたは番組を選択した時のためにキャッシュされる。ユーザがカーソルやハイライトを別の場所（例えば、別のチャンネル）に動かした時、ＥＰＧ１００のＯＳＤは対応する情報ですぐにアップデートされる。リモートコントローラ２００を用いて、ユーザは、リマインダーを設定し、テーマをハイライトでき、また、ＥＰＧ１００を開き、閉じ、ナビゲーションすることができる。
【００２１】
本発明の方法は、コンピュータのソフトウェアプログラムによる実施に特に好適である。そのようなコンピュータのソフトウェアプログラムは、本方法のステップに対応するモジュールを含んでいることが好ましい。そのようなソフトウェアは、もちろん、集積回路チップ、周辺装置またはメモリ（メモリ３２０、３３０等）、プロセッサ３３０、３３５に結合したその他のメモリなどのコンピュータ読み取り可能媒体に化体させることもできる。そのプロセッサは、本発明に従って動作する専用プロセッサでもよいし、本発明に従って動作するために多数のうちの１つの機能だけが動作する汎用プロセッサでもよい。そのプロセッサは、１つのプログラム部分、複数のプログラムセグメントを利用して動作してもよいし、専用または複数用途の集積回路を利用するハードウェアデバイスであってもよい。ユーザがいることとそれが誰であるかを識別するために使用される上記各システムは、さらに別のシステムとともに利用することもできる。
【００２２】
最後に、上記の説明は本発明を単に例示することを目的としたものであり、添付した請求項をいずれかの実施形態や実施形態のグループに限定するものと解釈してはならない。このように、本発明をその実施形態例を参照して詳細に説明したが、言うまでもなく請求項に記載した本発明のより広い意図された精神と範囲から逸脱することなく、多数の修正や変更を施すことができる。従って、明細書と図面は例示であるとみなすべきで、添付した請求項の範囲を限定するものと考えるべきではない。
【００２３】
添付した請求項の解釈において、以下のことを理解すべきである：
ａ）「有する」という用語は、請求項に上げられたもの以外の構成要素やステップの存在を排除するものではない；
ｂ）構成要素に付された「１つの」、「一」という用語は、その構成要素が複数あることを排除するものではない；
c）請求項中の参照符号はその請求項の範囲を限定するものではない；
ｄ）同一のアイテム、ハードウェアまたはソフトウェアにより実施された構造、もしくは機能により、幾つかの「手段」を代表してもよい；
ｅ）開示された要素は各々ハードウェア部分（例えば、個別部品による電子回路）、ソフトウェア部分（例えば、コンピュータプログラム）、またはこれらの任意の組み合わせを含んでいてもよい。
【図面の簡単な説明】
【００２４】
【図１】本発明による電子番組ガイド（ＥＰＧ）の実施形態を示す図である。
【図２】本発明による電子番組ガイド（ＥＰＧ）の実施形態を示す図である。
【図３】本発明による電子番組ガイド（ＥＰＧ）の実施形態を示す図である。
【図４】本発明による、図１−３に示したＥＰＧを制御するリモートコントローラを示す図である。
【図５】本発明による、図１−３に示したＥＰＧを受信するレシーバを示す図である。
【図１】
2007520140.tif 000003
【図２】
2007520140.tif 000004
【図３】
2007520140.tif 000005
【図４】
2007520140.tif 000006
【図５】
2007520140.tif 000007
【国際調査報告】
2007520140.tif 000008
2007520140.tif 000009
2007520140.tif 000010